(57)【要約】【課題】エアギャップ方式によって、液晶パネルとタッチパネルとを貼合したとしても、従来よりも光の反射が抑えられる低反射型静電容量方式のタッチパネル機能付き表示装置を提供する。【解決手段】液晶パネル２と湾曲型タッチパネル５との間には空気層６を有しており、液晶パネル２の表面上に設けられた第１の低反射層３と、湾曲型タッチパネル５の裏面上に設けられた第２の低反射層４と、を備え、第１の低反射層３と第２の低反射層４とは空気層６を介して対向してなる。【選択図】図１
2017004474.tif 000002
【特許請求の範囲】
【請求項１】
表示パネルと湾曲型前面パネルとが貼合されてなる低反射型静電容量方式のタッチパネル機能付き表示装置であって、
前記表示パネルと前記湾曲型前面パネルとの間には空気層を有しており、
前記表示パネルの表面上に設けられた第１の低反射層と、前記湾曲型前面パネルの裏面上に設けられた第２の低反射層と、を備え、
前記第１の低反射層と前記第２の低反射層とは前記空気層を介して対向してなること
を特徴とする低反射型静電容量方式のタッチパネル機能付き表示装置。
【請求項２】
前記第第１の低反射層と前記第２の低反射層の両方、またはいずれか一方が、透明な材質からなる微細凹凸構造を有することを特徴とする請求項１に記載の低反射型静電容量方式のタッチパネル機能付き表示装置。
【請求項３】
前記前面パネルはタッチセンサー付き薄板ガラスであることを特徴とする請求項１あるいは２に記載の低反射型静電容量方式のタッチパネル機能付き表示装置。
【発明の詳細な説明】
【技術分野】
【０００１】
本発明は、低反射型静電容量方式のタッチパネル機能付き表示装置に関する。
【背景技術】
【０００２】
従来から、液晶パネル上にタッチパネルを貼合する方式として、いわゆるエアギャップ方式とダイレクトボンディング方式（オプティカルボンディング方式あるいはフルラミネーション方式とも言う）がある。
【０００３】
エアギャップ方式は、液晶パネルとタッチパネルを周縁部分のみ貼合させる貼合方法であり、貼合された液晶パネルとタッチパネルとの間には空気層が形成される。一方、ダイレクトボンディング方式は、液晶パネルとタッチパネルとを全面貼りする貼合方法であり、両者の間には空気層は形成されない。
【０００４】
貼り直しの容易さ、コスト面、歩留まり等の観点から、従来においては、主に、エアギャップ方式が採用されていたが、エアギャップ方式では、タッチパネルと空気層との界面、及び表示パネルと空気層との界面において光の反射が発生し、視認性が低下するという問題が生ずる。
【０００５】
ところで、近年、市場において表面が湾曲した静電容量方式のタッチパネルの開発が切望されていることから、出願人において特許文献１に記載のような湾曲型タッチパネルを開発した。この湾曲型タッチパネルを液晶パネルに貼合するには、特許文献１の図１に示すような湾曲面２１を有するベースガラス２を使用して液晶パネルに全面貼りする。このようにすれば、各界面での光の反射や屈折を抑えてコントラストが向上した湾曲型静電容量方式のタッチパネル機能付き表示装置が得られる。
【先行技術文献】
【特許文献】
【０００６】
【特許文献１】特開２０１５−０９２４２２号公報
【発明の概要】
【発明が解決しようとする課題】
【０００７】
しかしながら、上記のような貼合方法によると、液晶パネルとベースガラス、ベースガラスとタッチパネルがそれぞれ全面貼りされているため、位置合わせに失敗し貼り直しをしたい場合には、それぞれを剥離するのは困難である。特に、出願人においては、タッチパネルに曲がる薄いガラスを採用していることから、剥離した際にガラスが割れてしまい、実質的には貼り直しすることができず、歩留まり低下につながるといった問題が生ずる。
【０００８】
本発明は、このような問題を解決するためになされたものであって、光の反射が抑えられ、かつ、貼り直しが容易であり、歩留まりも向上可能な低反射型静電容量方式のタッチパネル機能付き表示装置を提供することを目的とする。
【課題を解決するための手段】
【０００９】
前記の目的を達成するために、本発明の低反射型静電容量方式のタッチパネル機能付き表示装置は、表示パネルと湾曲型前面パネルとが貼合されてなる低反射型静電容量方式のタッチパネル機能付き表示装置であって、前記表示パネルと前記湾曲型前面パネルとの間には空気層を有しており、前記表示パネルの表面上に設けられた第１の低反射層と、前記湾曲型前面パネルの裏面上に設けられた第２の低反射層と、を備え、前記第１の低反射層と前記第２の低反射層とは前記空気層を介して対向してなることを特徴とする。
【００１０】
また、前記第第１の低反射層と前記第２の低反射層の両方、またはいずれか一方が、透明な材質からなる微細凹凸構造を有するように構成してもよい。
【００１１】
また、前記前面パネルはタッチセンサー付き薄板ガラスであってもよい。
【発明の効果】
【００１２】
本発明によれば、表示パネルと湾曲型前面パネルとの間には空気層を有しており、表示パネルの表面上に設けられた第１の低反射層と、湾曲型前面パネルの裏面上に設けられた第２の低反射層と、を備え、第１の低反射層と第２の低反射層とは空気層を介して対向してなるような構成とした。このため、光の反射が抑えられ、かつ、貼り直しが容易であり、歩留まりも向上可能といった効果を奏し得る。
【図面の簡単な説明】
【００１３】
【図１】本発明の低反射型静電容量方式のタッチパネル機能付き表示装置の断面図。
【図２】図１の斜視図。
【図３】第１の低反射層の構造を説明するための部分断面図。
【図４】図１に示すタッチパネルの断面図。
【図５】図４に示すタッチセンサー部の構造を説明するための模式図。
【発明を実施するための形態】
【００１４】
以下、本発明の実施形態に係る低反射型静電容量方式のタッチパネル機能付き表示装置１（以下、「表示装置１」という）を実施するための形態について、図面を参照しながら説明する。図１は図２のＡ−Ａ線矢視断面図、図３は図１に示すタッチパネルの断面図であるが、見やすくするために第１の低反射層３、第２の低反射層４、粘着層５２のみハッチングを施し、その他の部分についてはハッチングを施さず図示している。
【００１５】
図１に示す通り、表示装置１は、液晶パネル２と、第１の低反射層３と、第２の低反射層４と、タッチパネル５とを備えてなる静電容量方式のタッチパネル機能付き表示装置である。第１の低反射層３と第２の低反射層４とは空気層６を介して対向してなる。
【００１６】
第１の低反射層３は、液晶パネル２の表面上にＯＣＲ（ＵＶ硬化樹脂）やＯＣＡ（光学透明粘着シート）等の粘接着剤によって貼付されており、第２の低反射層４は、タッチパネル５の裏面上にＯＣＲやＯＣＡによって貼付されている。
【００１７】
図３の部分断面図に示すように、第１の低反射層３は、基材フィルム３１と、硬化樹脂層３２からなる低反射型フィルム（シート）である。
【００１８】
基材フィルム３１は、透明フィルムからなり、材料としては、アクリル系樹脂、ポリカーボネート、スチレン系樹脂、ポリエステル、セルロース系樹脂（トリアセチルセルロース等）、ポリオレフィン、脂環式ポリオレフィン等が挙げられる。
【００１９】
硬化樹脂層３２は、活性エネルギー線硬化性樹脂組成物の硬化物からなる透明膜であり、複数の凸部３２０からなる微細凹凸構造を表面に有する。活性エネルギー線硬化性樹脂組成物は、重合性化合物および重合開始剤を含む。重合性化合物としては、分子中にラジカル重合性結合および／またはカチオン重合性結合を有するモノマー、オリゴマー、反応性ポリマー等が挙げられる。活性エネルギー線硬化性樹脂組成物は、非反応性のポリマー、活性エネルギー線ゾルゲル反応性組成物を含んでいてもよい。
【００２０】
すなわち、第１の低反射層３は、可視光の波長３８０〜７８０ｎｍよりも小さい突起（凸部３２０）が林立した構造をしており、空気層６から第１の低反射層３に向かって、連続的に屈折率が変化することで、光の反射を抑える、いわゆるモスアイ（蛾の目）構造の樹脂製フィルム（シート）である。
【００２１】
本実施形態においては、第２の低反射層４にも第１の低反射層３と同様の構造のフィルム（シート）を採用しているが、第１の低反射層３と第２の低反射層４の両方、あるいはいずれか一方に、ＡＲ（Ａｎｔｉ Ｒｅｆｌｅｃｔｉｏｎ）コート（フィルム）を用いてもよい。
【００２２】
図４に示すとおり、タッチパネル５は、静電容量方式のタッチパネルであって、湾曲可能なガラスからなるタッチセンサー部５１と、湾曲したカバーガラス５３からなり、タッチセンサー部５１は、カバーガラス５３の裏面上にＯＣＡあるいはＯＣＲからなる粘着層５２によって貼付されている。
【００２３】
図５に示すように、タッチセンサー部５１は、Ｙ電極ガラス部５１０とＸ電極ガラス部５２０とがＯＣＡあるいはＯＣＲからなる粘着層５３０によって貼り合わせてなり、フレキシブルプリント回路基板ＦＰＣ５４０を介してコントロールボード（図示しない）と接続される。Ｙ電極ガラス部５１０及びＸ電極部５２０の厚みは０．０５ｍｍ乃至０．２ｍｍであることから、湾曲したカバーガラス５３の裏面上に湾曲した状態で貼付することが可能である。
【００２４】
また、静電容量方式のタッチパネルは、近年薄型化が進んでおり、タッチセンサーの位置によって、アウトセル型、オンセル型、インセル型の３つの分類があり、タッチセンサーをカバーガラスに形成する形態もあることから、タッチパネル５をタッチセンサーが形成されたカバーガラスとすることも可能である。その他にも、静電容量方式のタッチパネルの構造としては、その材質や構造等の面から分類すれば種々の形態のものがあるが、本発明においては、前面パネルと表面パネルとの間に、静電容量方式のタッチパネル機能が実現できさえすれば、種々の形態のものが適用可能である。
【００２５】
また、上記実施形態においては、表示パネルを液晶パネルとして説明したが、表示パネルは、例えば、プラズマパネル、有機ＥＬパネル等であってもよい。
【００２６】
以上のように、第１の低反射層３と前記第２の低反射層４とを空気層６を介して対向するように構成したことにより、エアギャップ方式によって表示装置を製造したとしても、従来よりも光の反射を抑えることが可能となる。
【符号の説明】
【００２７】
１    ：表示装置（低反射型静電容量方式のタッチパネル機能付き表示装置）
２    ：液晶パネル（表示パネル）
３    ：第１の低反射層
３１  ：基材フィルム
３２  ：硬化樹脂層
３２０：凸部
４    ：第２の低反射層
５    ：タッチパネル
５１  ：タッチセンサー部
５２  ：粘着層
５１０：Y電極ガラス部
５２０：Ｘ電極ガラス部
５３０：粘着層
５４０：ＦＰＣ
６    ：空気層
【図１】
2017004474.tif 000003
【図２】
2017004474.tif 000004
【図３】
2017004474.tif 000005
【図４】
2017004474.tif 000006
【図５】
2017004474.tif 000007